【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】  膨張式装置（１２）を膨張させる装置（１４）であって、前記装置が、
圧力をかけられた少なくとも１つのガス・ソース材料を収容する第１チャンバ（１６）であって、前記ガス・ソース材料が、反応を開始すると、前記装置（１２）を膨張させるために使用される膨張流体を生じ、
前記第１チャンバがまた、ある量の少なくとも１つの放射性同位体漏れトレース材料をも収容し、それによって前記第１チャンバからの流体の漏れが検出できる第１チャンバ（１６）と、
前記第１チャンバの前記少なくとも１つのガス・ソース材料の反応を開始するイニシエータ（５６）とを備える膨張式装置を膨張させる装置。
【請求項２】  前記第１チャンバが放射性同位体Ｋｒ８５を収容する、請求項１に記載の装置。
【請求項３】  前記第１チャンバがまた、前記少なくとも１つの放射性同位体の収容された量の少なくともかなりの部分を初めに保持する材料を収容する、請求項１又は２に記載の装置。
【請求項４】  前記少なくとも１つの放射性同位体の収容された量の少なくともかなりの部分を初めに保持する前記材料が固体の形態である、請求項３に記載の装置。
【請求項５】  前記固体材料がエチルセルロースを含む、請求項４に記載の装置。
【請求項６】  前記固体材料がＢＫＮＯ3 を含む、請求項４に記載の装置。
【請求項７】  前記固体材料がさらに金属を含む、請求項６に記載の装置。
【請求項８】  前記金属がマグネシウムである、請求項７に記載の装置。
【請求項９】  前記第１チャンバ（１６）が壁で密閉されており、前記密閉壁に流体充填ポートがない、請求項１〜８のいずれか一項に記載の装置。
【請求項１０】  前記第１チャンバ（１６）にほぼ添加不活性ガスがない、請求項１〜９のいずれか一項に記載の装置。
【請求項１１】  前記第１チャンバを部分的に開いた形態にする間に前記第１チャンバ内にある量の前記ガス・ソース材料を固体の形態で配置することと、
内部に密閉された前記ある量の前記ガス・ソース材料で前記第１チャンバを閉鎖することと、によって準備される、請求項１〜１０のいずれか一項に記載の装置。
【請求項１２】  前記部分的に開いた第１チャンバ内に配置された前記固体の形態の前記ガス・ソース材料が低温で固体として形成される、請求項１１に記載の装置。
【請求項１３】  前記第１チャンバ（１６）が少なくとも何らかの液体を収容する、請求項１〜１２のいずれか一項に記載の装置。
【請求項１４】  前記第１チャンバが、前記装置（１２）を膨張させるために使用される少なくとも１つのガス状分解生成物を含む分解生成物を形成するよう分解する少なくとも１つのガス・ソース材料を収容する、請求項１〜１３のいずれか一項に記載の装置。
【請求項１５】  前記第１チャンバ（１６）が、分解するガス・ソース材料としてＮ2 Ｏを収容する、請求項１４に記載の装置。
【請求項１６】  前記第１チャンバの内容の可燃性限度以下の量だけ存在する分解反応の速度を加速するために有効な少なくとも１つの増感材料を前記第１チャンバ（１６）が収容する、請求項１４又は１５に記載の装置。
【請求項１７】  前記第１チャンバ（１６）が、放射性同位体漏れトレース材料の少なくともかなりの部分を初めに保持する固体材料を収容し、この固体材料が、前記分解反応の速度を加速するためにも有効である、請求項１６に記載の装置。
【請求項１８】  加圧流体を収容する、閉じたチャンバからの漏れの発生を検出する方法であって、前記チャンバが選択された量の少なくとも１つの放射性同位体漏れトレース材料を初めに収容し、前記方法が、前記チャンバから出る放射性信号の変化を測定するステップを含むチャンバからの漏れの発生の検出方法。
【請求項１９】  前記チャンバが、反応を開始すると膨張式装置を膨張させるために使用される膨張流体を生じるガス・ソース材料をも収容する、請求項１８に記載の方法。
【請求項２０】  膨張式拘束システム・インフレータの、閉じた加圧流体収容式チャンバからの漏れの発生を検出する方法であって、前記加圧流体が、反応を開始すると膨張式装置を膨張させるために使用される膨張流体を生じるガス・ソース材料を含み、前記チャンバがさらに選択された量の少なくとも１つの放射性同位体漏れトレース材料を初めに収容し、前記方法が、
前記チャンバから出る放射性信号の変化を測定するステップを含むチャンバからの漏れの発生の検出方法。
【請求項２１】  前記チャンバが放射性同位体Ｋｒ８５を収容する、請求項１８〜２０のいずれか一項に記載の方法。
【請求項２２】  少なくとも部分的に開いたチャンバ内に第１材料の低温で形成された固体の塊を提供するステップと、
前記少なくとも部分的に開いたチャンバ内に選択された量の少なくとも１つの放射性同位体漏れトレース材料を提供するステップと、
その後、前記第１材料と前記漏れトレース材料の両方を初めに収容するために前記チャンバを閉じるステップとを含む方法。
【請求項２３】  前記第１材料の前記低温で形成された固体の塊が流体を形成し、前記閉じたチャンバ内の圧力を増大するように変えられ、前記方法がさらに、
前記チャンバから出る放射性信号の変化を測定し、それによって前記チャンバからの漏れの発生を検出するステップを含む、請求項２２に記載の方法。
【請求項２４】  膨張式装置を膨張させる装置に材料を詰め込む方法であって、この方法が、
前記装置のチャンバ内の前記材料の低温で形成された固体の塊（４８０）を密封するステップを含む方法。
【請求項２５】  前記材料がガス・ソース材料である、請求項２４に記載の方法。
【請求項２６】  前記ガス・ソース材料が、前記装置を膨張させるために使用される、少なくとも１つのガス状分解生成物を含む分解生成物を形成するために分解する、請求項２５に記載の方法。
【請求項２７】  前記材料がＮ2Ｏを含む、請求項２４〜２６のいずれか一項に記載の方法。
【請求項２８】  前記密封ステップが、前記チャンバの第１と第２の部分を一体にするイナャーシャ式溶接を含む、請求項２４〜２７のいずれか一項に記載の方法。
【請求項２９】  膨張式装置（３１２）を膨張させる装置であって、前記装置が、
圧力をかけられた少なくとも１つのガス・ソース流体材料を含んでいて、前記ガス・ソース流体材料が、反応を開始すると、前記装置を膨張させるために使用される膨張流体を生じる第１チャンバ（３１６）と、
前記第１チャンバの前記少なくとも１つのガス・ソース流体材料を反応開始させるためのイニシエータ装置（３５６）と、
を含んでいて、
前記第１チャンバには、前記ガス・ソース流体材料の前記第１チャンバ内への通路用の充填ポートがない、膨張式装置を膨張させる装置。
【請求項３０】  前記第１チャンバ（３１６）が、前記装置を膨張させるために使用される少なくとも１つのガス状分解生成物を含む分解生成物を形成するために分解する、少なくとも１つのガス・ソース材料を収容する、請求項２９に記載の装置。
【請求項３１】  前記第１チャンバ（３１６）が、前記ガス・ソース材料としてＮ2Ｏを収容する、請求項２９又は３０に記載の装置。
【請求項３２】  前記第１チャンバが部分的に開いた形態にする間に、前記第１チャンバ内にある量の前記少なくとも１つのガス・ソース材料（４８０）を固体の形態で配置することと、
内部に密閉された前記ある量のガス・ソース材料で前記第１チャンバを閉鎖することと、によって準備される請求項２９〜３１のいずれか一項に記載の装置。
【請求項３３】  前記部分的に開いた第１チャンバ内に配置された、固体の形態の前記ガス・ソース材料（４８０）が低温で固体として形成される、請求項３２に記載の装置。
【請求項３４】  前記第１チャンバが、イナーシャ式溶接（５５０）によって閉じられる、請求項３３に記載の装置。